(57)【要約】【課題】  布団を収容して内部のエアーを抜くことで圧縮することが出来る布団圧縮袋であって、長期間にわたってエアー漏れを発生しない布団圧縮袋の吸気弁の提供。【解決手段】  吸気弁は上シート３に固定された弁本体１９と該弁本体１９を被覆する弁蓋２０、及び弁本体１９にセットされる弁１０から成り、弁蓋２０の上板部２６にはエアーを吸込む穴２７，２８を設け、弁本体１９の中央部には凹部２１を形成し、該凹部２１の底部２２には間にエアーが流れる窓を設けた支持片２３と、下側の内径を小さくした傾斜内周面１４を形成したエアー流通穴１１を設け、上記弁は柔軟な材質で構成され、概略円盤状のツバ１６とその中央部には外周面が滑らかな曲面を成す嵌合凸部１３を有し、該弁１０のツバ１６を上記支持片２３に載置すると共にエアー流通穴１１には嵌合凸部１３を嵌める。【選択図】    図７
2007022543.tif 000002
【特許請求の範囲】
【請求項１】
布団を収容して内部のエアーを抜くことで圧縮することが出来る布団圧縮袋において、一辺には開口可能なシールを設け、上シートには掃除機のホースを接続してエアーを吸い込むことが出来る吸気弁を取付け、該吸気弁は上シートに固定された弁本体と該弁本体を被覆する弁蓋、及び弁本体にセットされる弁から成り、弁蓋の上板部にはエアーを吸込む穴を設け、弁本体の中央部には凹部を形成し、該凹部の底部には間にエアーが流れる窓を設けた支持片と、下側の内径を小さくした傾斜内周面を形成したエアー流通穴を設け、上記弁は柔軟な材質で構成され、概略円盤状のツバとその中央部には外周面が滑らかな曲面を成す嵌合凸部を有し、該弁のツバを上記支持片に載置すると共にエアー流通穴には嵌合凸部を嵌めたことを特徴とする布団圧縮袋。
【請求項２】
布団を収容して内部のエアーを抜くことで圧縮することが出来る布団圧縮袋の吸気弁において、該吸気弁は上シートに固定された弁本体と該弁本体を被覆する弁蓋、及び弁本体にセットされる弁から成り、弁蓋の上板部にはエアーを吸込む穴を設け、弁本体の中央部には凹部を形成し、該凹部の底部には間にエアーが流れる窓を設けた支持片と、下側の内径を小さくした傾斜内周面を形成したエアー流通穴を設け、上記弁は柔軟な材質で構成され、概略円盤状のツバとその中央部には外周面が滑らかな曲面を成す嵌合凸部を有し、該弁のツバを上記支持片に載置すると共にエアー流通穴には嵌合凸部を嵌めたことを特徴とする布団圧縮袋の吸気弁。
【請求項３】
上記エアー流通穴を形成する筒上端を凹部底から僅かに突出して載置突起を全周に設けた請求項２記載の布団圧縮袋の吸気弁。
【請求項４】
上記弁蓋の上板部に設けた複数穴の一部を、掃除機のホース内径よりの外方向へ延びた形状とした請求項２、又は請求項３記載の布団圧縮袋の吸気弁。
【発明の詳細な説明】
【技術分野】
【０００１】
本発明は布団を収容した状態で袋内部のエアーを吸引して圧縮するもので、エアー漏れを長期間にわたって防止することが出来る布団圧縮袋、及び該布団圧縮袋に用いられる吸気弁に関するものである。
【背景技術】
【０００２】
布団はその体積が大きく、都会のマンションなどでは押入れなどに収納する際に問題となる。そこで、近年ではビニール袋に布団を収容して空気を吸引するならば、布団は圧縮されてその体積は小さくなり、押入れへの収納も可能と成る。特に、冬用の布団は多くの綿を入れた厚いもので、夏の間の収納には該圧縮袋は便利である。
【０００３】
圧縮袋はその一辺が密閉されると共に開口できる構造とし、中央部には吸込み口が設けられている。該吸込み口に掃除機のホースを当てて吸引するならば、袋内の空気は吸われ、吸引が終わったところで吸込み口が閉じるように弁が取付けられている。しかし、該弁は手動で閉じなくてはならず、その為に手間がかかって面倒であるだけでなく、閉じるまでの間にエアー漏れが発生し、又完全に閉じられなくて僅かなエアー漏れを生じることもある。その結果、圧縮した袋にエアーが侵入して時間と共に布団が膨らんでしまう。時には、弁を閉じ忘れる時もある。
【０００４】
特開２００４−３３８７８４号に係る「収納袋の排気弁」は、収納袋内と連通する排気孔を設けている弁本体に吸気用孔を設けている蓋体を装着し、この蓋体の上面をドーム形状に形成して該蓋体上に当てがう吸気ノズルを弁本体に対して垂直状態のみならず傾斜させた状態にしてもその吸気口を吸気用孔に連通させた状態にして脱気作用を行わせることが出来、さらに、蓋体の下面と上記排気孔を開閉する弁板の上面とに互いに係脱するカム突起とストッパ片とからなるロック機構を設けて収納袋内の脱気後に弁板を排気孔に圧着させた状態に保持する。
【０００５】
すなわち、収納袋内が脱気されて布団などの収納物が圧縮状態に成ると、蓋体に対する電気掃除機の吸気ノズルの押付けが解かれる。そうすると、収納袋内が真空状態であるから、この収納袋側に発生する吸気力によって弁板が下動して排気口を自動的に閉止し、収納袋内に外気が入ることを阻止する。そしてその後、蓋体を弁板回りに一方向に回動させると、蓋体の下面側に設けているロック機構が作動して弁板が直接下方に押圧され、排気孔を密閉した状態に保持することが出来る。
【０００６】
すなわち、ロック機構を作動するには手動にて蓋体を弁板回りに回動することが必要である。一方、この排気弁の構造は複雑である為にその製作はコスト高と成る。又、特開２００５−３５５６２号に係る「弁機構」は、吸引装置のノズルの径を意識することなく使用することが出来、外面で積層されたり密閉袋を損傷することがなく、又、積層されたり隣接させた荷姿が平坦で安定した状態とするものである。
【０００７】
そこで、孔が形成された密閉袋の外面側に取付けられ、その中央部に通気口が形成された吸引接続部を平坦面とし、密閉袋の内面側に取付けられる弁基材を断面窪状としている。従って、吸引接続部の通気口を覆うようにノズルを当接させるだけでよいからノズル径を意識することなく使用でき、また、密閉袋の外面に突出する部分がなくなるので外面で積層させたり隣接する他の密閉袋を損傷することがない。しかし、この弁機構は本発明の目的とは異なっているのみならず、該弁の閉鎖は手動で行う必要がある。
【特許文献１】特開２００４−３３８７８４号に係る「収納袋の排気弁」
【特許文献２】特開２００５−３５５６２号に係る「弁機構」
【発明の開示】
【発明が解決しようとする課題】
【０００８】
このように、従来の布団圧縮袋には上記のごとき問題がある。本発明が解決しようとする課題はこの問題点であり、極めて簡単な弁構造によってエアーを吸込むと共に、吸込み停止と同時に手動操作を要しないで弁が瞬時に自動閉鎖されてエアー漏れを発生しない布団圧縮袋、及び該布団圧縮袋に取付ける吸気弁を提供する。
【課題を解決するための手段】
【０００９】
本発明に係る布団圧縮袋は、布団を収容するビニール袋と吸気弁を備えたもので、一辺は開口可能な形態と成っており、閉じた状態ではエアーが漏れないようにシールされる。そして、上記吸気弁は袋のほぼ中央部に取付けられ、該吸気弁にホースの先端を当てがって掃除機で吸込むことが出来る。ただし、布団圧縮袋としてのこの基本構造は従来と同じである。
【００１０】
上記吸気弁はエアーを吸込む際には自動的に開口し、吸込みを停止すると同時に自動的に閉鎖するように機能する。すなわち、手で弁を開閉操作する必要がない。吸気弁は弁本体を弁蓋とから成り、弁本体は圧縮袋のシートに固着されており、中央にはエアー流通穴が設けられ、該エアー流通穴の上部にはゴム製又は樹脂製の柔軟な弁が配置されている。
【００１１】
上記弁は円盤状のツバを有し、ツバの中央部には嵌合凸部が設けられ、該嵌合凸部の外側面は滑らかな曲面と成っている。そして、弁本体の中央には凹部が設けられ、この凹部底から起立する支持片にツバが載ってセットされると共に、上記嵌合凸部は凹部底の中央に設けたエアー流通穴に嵌合した構造と成っている。ここで、エアー流通穴は下側内径を小さくした傾斜内周面を形成している。
【００１２】
この滑らかに湾曲した傾斜内周面を有すエアー流通穴に、滑らかに湾曲した外周面を有す弁の嵌合凸部が嵌ることで、僅かな隙間もなく密着して空気の漏れを防止する。ここで、弁はゴム製又は樹脂製などの柔軟な材質で構成している為に、エアーが吸い込まれてマイナスとなった空気圧によって引下げられることで、傾斜内周面になじんで隙間なく密着することが出来る。
【発明の効果】
【００１３】
本発明の布団圧縮袋の吸気弁は弁本体のエアー流通穴の上部にゴム製又は樹脂製の弁を載置し、該弁中央に設けている嵌合凸部がエアー流通穴に嵌り、しかも布団袋内部に発生するマイナス圧によって嵌合凸部はエアー流通穴の傾斜内周面に密着することが出来る為に、エアー漏れは発生しない。そして、弁蓋にホースを接続してエアーを吸気する際には、弁は浮上してエアー流通穴の傾斜内周面と嵌合凸部との間に隙間が発生してエアーを吸込むことが出来る。
【００１４】
弁はエアーの吸込みを停止すると同時に、マイナス圧により嵌合凸部がエアー流通穴の傾斜内周面に密着することが出来、エアー漏れは発生しない。このように、本発明の布団圧縮袋に取付ける吸気弁はその構造が簡単であり、しかしエアー漏れの発生は殆どなく、しかも吸気すると同時に弁が開口し、吸気を停止すると同時に弁が瞬時に閉じることが出来るために特別な手動操作は必要ない。
【実施例】
【００１５】
図１は布団圧縮袋の外観を示す実施例である。同図の１はビニール袋、２は吸気弁を表している。ビニール袋１は長方形の上シート３と下シート４から成り、その３辺５ａ，５ｂ，５ｃは上下シート３，４が密着され、他の辺６は布団を出し入れする為に開口可能と成っている。そして、上記吸気弁２は上シート３のほぼ中央部に取付けられ、該吸気弁２を通してビニール袋内のエアーを吸込むことが出来る。
【００１６】
辺６は開閉可能なようにシール構造を有しており、図１のＡ−Ａ断面拡大図を図２に示している。上シート３には辺６に沿って２本の凹シール７ａ，７ｂが一定間隔をおいて沿設され、又下シート４には辺６に沿って２本の凸シール８ａ，８ｂが一定間隔をおいて沿設されている。凸シール８ａ，８ｂは凹シール７ａ，７ｂの凹溝９ａ，９ｂに嵌合して互いに噛合い、辺６側に設けた開口を閉鎖することが出来、エアーの漏れを防止する。
【００１７】
上記布団圧縮袋としての基本形態は従来のものと共通しているが、本発明の特徴は吸気弁２にある。該吸気弁２はその弁構造が簡単であると共にエアー漏れを発生しない構造と成っている。図３は該吸気弁２の基本概略図であり、同図の１０は弁、１１はエアー流通穴、１２はエアー流通穴１１を形成する筒を表している。弁１０の材質が限定しないが、柔軟な材質が適している為に、樹脂製又はゴム製の弁１０と成っている。
【００１８】
上記弁１０は概略円盤形状を成し、円盤状のツバ１６の中央には下方へ突出した嵌合凸部１３が形成され、この嵌合凸部１３は上記エアー流通穴１１に嵌ることが出来る。ここで、エアー流通穴１１には下側の内径が小さくなるような傾斜内周面１４が形成され、筒１２の上端には載置突起１５が全周にわたって設けられている。
【００１９】
図３(ａ)は弁１０がエアー流通穴１１を閉鎖した状態を、(ｂ)はエアー流通穴１１が開いている状態を表している。掃除機によってエアーを吸い込む場合、弁１０の上側の気圧が低く成って該弁１０は上昇し、その為にエアー流通穴１１が一部開口する。すなわち、嵌合凸部１３が空気圧の低下にて押上げられることで、該嵌合凸部１３とエアー流通穴１１の傾斜内周面１４との間に隙間１７が形成され、この隙間１７からエアーが流れて布団圧縮袋内の空気が抜取られる。
【００２０】
そして、掃除機が停止してエアーの抜取りが停止すると同時に、弁１０の下側の空気圧が低くなり、すなわちビニール袋１の内圧がマイナスと成って弁１０は下方へ押下げられ、嵌合凸部１３はエアー流通穴１１に嵌る。エアー流通穴１１は下側の内径を小さくしている傾斜内周面１４を形成し、柔軟な材質から成る弁１０の嵌合凸部１３は傾斜内周面１４になじんで隙間なく密着する。従って、エアーが流れる隙間１７は無くなり、該エアー流通穴１１は閉鎖される。又、弁１０が押下げられることで、ツバ１６は筒上端に形成している載置突起１５に当接し、該載置突起１５とツバ１６との隙間も無くなる。
【００２１】
図４は弁１０を示す実施例であり、該弁１０は円盤状のツバ１６と該ツバ１６の中央に設けている嵌合凸部１３から成っている。弁１０の材質は柔軟な樹脂材又はゴム材であり、適当に変形して上記エアー流通穴１１の傾斜内周面１４に隙間なくなじむことが出来、又載置突起１５に隙間なく接することが出来る。嵌合凸部１３の外周面１８は滑らかに湾曲した曲面にて形成され、エアー流通穴１１の傾斜内周面１４には適度に変形して密着する。
【００２２】
円盤状ツバ１６には穴１９，１９・・が４箇所に貫通して設けられ、エアー流通穴１１に生じた隙間１７を流れたエアーはこれら穴１９，１９・・を通過して掃除機のホースに吸込まれる。勿論、穴１９，１９・・だけでなく、エアーはエアー流通穴１１の隙間１７からツバ１６の外周へ流れてホースに吸込まれる場合もある。
【００２３】
ビニール袋１に取付けられる吸気弁２は弁本体１９と弁蓋２０から成り、弁本体１９はビニール袋１の上シート３に固定され、弁蓋２０は弁本体１９に被覆される。図５は弁本体１９を単独で示し、図６は弁蓋２０を単独で表している実施例である。弁本体１９の凹部２１の底部２２にはリング状の支持片２３，２３・・、が起立して設けられ、各支持片２３，２３・・の間は切欠かれて窓２４，２４・・が形成されている。
【００２４】
そして、底部２２の中央部には上記筒１２が設けられ、筒１２は傾斜内周面１４を有すエアー流通穴１１と成っている。前記図３において、弁１０の嵌合凸部１３と傾斜内周面１４との隙間１７を流れるエアーは、上記支持片２３，２３・・間に形成される窓２４，２４・・を通過し、弁蓋２０から吸い取られる。
【００２５】
又、弁本体１９の下方には複数の脚２５，２５・・が延びているが、エアー流通穴１１の下端が布団に密着しても該エアーを各脚２５，２５・・の隙間から吸込むことが出来る。そして、弁蓋２０の上板部２５には穴２７，２７・・、２８，２８・・が貫通して設けられ、上記弁本体１９の窓２４，２４・・から流出したエアーは弁蓋２０の穴２７，２７・・、２８，２８・・を流れて掃除機のホースに吸い取られる。
【００２６】
ここで、上板部２６の中心に対して円周方向に設けている穴２７，２７・・は掃除機のホース内に納まるが、放射状に設けている穴２８，２８・・はその一部が掃除機のホースに納まらずしてはみ出すような大きさとしている。従って、布団圧縮袋内部のエアーだけでなく、外部のエアーも吸込むことが出来、吸込み圧の調整が行われる。
【００２７】
図７は図４に示す弁１０を弁本体１９にセットして弁蓋２０を取付けた実施例であり、図３を具体化したものである。同図はエアー流通穴１１が弁１０にて閉鎖している状態である。弁蓋２０の上板部２６には円弧状に湾曲した脚２９，２９が下方へ延び、該脚２９，２９の外周面にはツメ３０，３０・・が形成されている。そして、上板部２６の中心には筒３１が下方へ延びている。
【００２８】
上シート３に穴を設けて弁本体１９を取付け、弁本体１９には弁蓋２０が被覆されるが、弁本体１９の平坦な接着面３４に上シート３が接着されて固定される。弁蓋２０を弁本体１９に被覆する場合、脚２９，２９が凹部２１に嵌入し、ツメ３０，３０・・が該凹部２１に沿設した内周縁３２に係止して外れないようになる。上板部２６の中心に設けている筒３１は弁１０の嵌合凸部１３の上側空間３３まで延び、エアーを吸込む場合に弁１０が押し上げられた際には該筒３１が嵌入して外れないように位置決めされる。
【００２９】
そこで、弁蓋側に掃除機のホースを接続してエアーを吸込むならば、図３(ｂ)に示すように該弁１０は上側の気圧低下によって浮上し、エアー流通穴１１の傾斜内周面１４との間に隙間１７が形成される。この隙間１７を通過して流れるエアーは弁蓋２０の穴２７，２７・・、２８，２８・・から吸込まれる。そして、エアーの吸気を停止するならば、弁１０は図３(ａ)に示すように下側の気圧低下によって下方へ引かれ、弁１０の嵌合凸部１３はエアー流通穴１１の傾斜内周面１４に密着し、蓋側からのエアーの侵入を防止する。
【図面の簡単な説明】
【００３０】
【図１】布団圧縮袋の外観図。
【図２】図１のＡ−Ａ断面拡大図。
【図３】本発明の布団圧縮袋に取付けられる吸気弁の原理図。
【図４】弁の具体例。
【図５】弁本体の実施例。
【図６】弁蓋の実施例。
【図７】本発明の吸気弁を示す実施例。
【符号の説明】
【００３１】
１  ビニール袋
２  吸気弁
３  上シート
４  下シート
５  辺
６  辺
７  凹シール
８  凸シール
９  凹溝
10  弁
11  エアー流通穴
12  筒
13  嵌合凸部
14  傾斜内周
15  載置突起
16  ツバ
17  隙間
18  外周面
19  穴
20  弁蓋
21  凹部
22  底部
23  支持片
24  窓
25  脚
26  上板部
27  穴
28  穴
29  脚
30  ツメ
31  筒
32  内周縁
33  空間
34  接着面
【図１】
2007022543.tif 000003
【図２】
2007022543.tif 000004
【図３】
2007022543.tif 000005
【図４】
2007022543.tif 000006
【図５】
2007022543.tif 000007
【図６】
2007022543.tif 000008
【図７】
2007022543.tif 000009